(57)【要約】【課題】タオル織物で製作されたマフラーと同様、軽量で、かつ適度な通気性や吸湿性、柔軟性を備えるとともにその柄出しが良好であり、様々な用途に使用できるマフラーを提供する。【解決手段】多重織組織を備えたマフラー１０を提供する。多重織組織は、少なくとも第１組織２１と第２組織３１とを備えた複数の組織２０から構成され、複数の組織２０を構成する１つの組織２１を織成するたて糸２２，２３またはよこ糸２４，２５の何れか一方と、複数の組織２０を構成する他の組織３１を織成するたて糸３２，３３またはよこ糸３４，３５の何れか一方とが交換されることによって、複数の組織２０が繋ぎ合わされ、多重織組織の模様を織り出すことを特徴とする。また、複数の組織２０にはパイルが形成されておらず、複数の組織２０のよこ糸２４，２５，３４，３５の太さは、複数の組織２０のたて糸２２，２３，３２，３３の太さよりも太い。【選択図】図１
0003165891.tif 000002
【実用新案登録請求の範囲】
【請求項１】
少なくとも第１組織と第２組織の複数の組織を備えた多重織組織を備え、
上記複数の組織を構成する１つの組織を織成するたて糸またはよこ糸の何れか一方と、上記複数の組織を構成する他の組織を織成するたて糸またはよこ糸の何れか一方とが交換されることによって、上記複数の組織が繋ぎ合わされ、上記多重織組織の模様を織り出すことを特徴とするマフラー。
【請求項２】
上記複数の組織にはパイルが形成されておらず、
上記複数の組織を織成するよこ糸の太さは、上記複数の組織を織成するたて糸の太さよりも太いことを特徴とする請求項１に記載のマフラー。
【請求項３】
上記複数の組織は上記の第１組織と第２組織とからなり、上記第１組織と上記第２組織とを備えた二重織組織を備え、
上記第１組織を織成するたて糸及びよこ糸と、上記第２組織を織成するたて糸及びよこ糸との表裏を交換することによって上記二重織組織の第１組織と第２組織の模様を織り出す風通組織を有することを特徴とする請求項１または２に記載のマフラー。
【請求項４】
上記複数の組織を織成するたて糸及びよこ糸は、綿糸または綿糸とフィラメント糸とを混紡した混紡糸であり、
上記複数の組織を織成するよこ糸の番手が４〜１０番手であり、上記複数の組織を織成するたて糸の番手が２０〜４０番手であることを特徴とする請求項１〜３の何れかに記載のマフラー。
【考案の詳細な説明】
【技術分野】
【０００１】
本願考案は、二重織組織や三重織組織などの多重織組織を備えたマフラーに関するものである。
【背景技術】
【０００２】
従来より、防寒用や装飾用、スポーツ応援用等のマフラーに関する種々の提案がなされている（例えば、特許文献１参照）。
【先行技術文献】
【特許文献】
【０００３】
【特許文献１】実用新案登録第３１４２９５４号公報
【考案の概要】
【考案が解決しようとする課題】
【０００４】
例えば、特許文献１では、タオルマフラー本体の中心部分で人の首筋に接するところを袋織り組織とし、保温剤若しくは保冷剤を装着可能とする切れ目を有する袋織部を備えた袋状部と、その両端部分にパイル織部を備え、タオル織機を使用して製織する防寒用、防暑用タオルマフラーが提案されている。一般的に、このタオルマフラーを含めたタオル織物は、織物地に形成されたパイルによって、軽量で、かつ適度な吸水性や通気性、柔軟性、保温性を備えている。
【０００５】
また、タオル織物の織りにおける模様（柄）出しは、タオル織物を構成する糸の組み合わせや、形成されるパイルの大きさやその浮き沈み等を利用して行うが、その模様（柄）の顕著さは形成されたパイルによっても左右され、パイルが倒れて寝てしまう場合には、タオル織物に顕著に模様（柄）が現れないことがあった。
【０００６】
一方、多重織組織を備えたマフラーは、その構成上、適度な保温性を備えるとともに、その模様（柄）出しにおいては顕著な模様が織り出され、また、使用する糸や織りの選択によって、通気性や吸湿性、柔軟性等を備えることができる。
【０００７】
本願考案はこのことに鑑み、タオル織物で製作されたマフラーと同様、軽量で、かつ適度な通気性や吸湿性、柔軟性を備えるとともにその模様（柄）出しが良好であり、様々な用途に使用できる多重織組織を備えたマフラーを提供することを課題とする。
【課題を解決するための手段】
【０００８】
上記課題を解決するために、本願の請求項１に記載の考案は、少なくとも第１組織と第２組織の複数の組織を備えた多重織組織を備え、上記複数の組織を構成する１つの組織を織成するたて糸またはよこ糸の何れか一方と、上記複数の組織を構成する他の組織を織成するたて糸またはよこ糸の何れか一方とが交換されることによって、上記複数の組織が繋ぎ合わされ、上記多重織組織の模様を織り出すことを特徴とするマフラーを提供する。
【０００９】
また、本願の請求項２に記載の考案は、上記複数の組織にはパイルが形成されておらず、上記複数の組織を織成するよこ糸の太さは、上記複数の組織を織成するたて糸の太さよりも太いことを特徴とする請求項１に記載のマフラーを提供する。
【００１０】
また、本願の請求項３に記載の考案は、上記複数の組織は上記の第１組織と第２組織とからなり、上記第１組織と上記第２組織とを備えた二重織組織を備え、上記第１組織を織成するたて糸及びよこ糸と、上記第２組織を織成するたて糸及びよこ糸との表裏を交換することによって上記二重織組織の第１組織と第２組織の模様を織り出す風通組織を有することを特徴とする請求項１または２に記載のマフラーを提供する。
【００１１】
また、本願の請求項４に記載の考案は、上記複数の組織を織成するたて糸及びよこ糸は、綿糸または綿糸とフィラメント糸とを混紡した混紡糸であり、上記複数の組織を織成するよこ糸の番手が４〜１０番手であり、上記複数の組織を織成するたて糸の番手が２０〜４０番手であることを特徴とする請求項１〜３の何れかに記載のマフラーを提供する。
【考案の効果】
【００１２】
本願の請求項１の考案では、少なくとも第１組織と第２組織の複数の組織を備えた多重織組織を備え、上記複数の組織を構成する１つの組織を織成するたて糸またはよこ糸の何れか一方と、上記複数の組織を構成する他の組織を織成するたて糸またはよこ糸の何れか一方とが交換されることによって、上記複数の組織が繋ぎ合わされ、上記多重織組織の模様を織り出すマフラーを提供することができたものである。多重織組織の構成上、適度な保温性を備え、かつ模様（柄）出しが良好なマフラーを提供することができたものである。
本願の請求項２の考案では、請求項１の考案の効果に加え、上記複数の組織にパイルを形成せず、かつ、上記複数の組織を織成するよこ糸の太さを、上記複数の組織を織成するたて糸の太さよりも太くすることによって、織物地にパイルを備えたタオル織物と比較して、模様（柄）出しが良好であり、かつ、タオル織物と同等の厚みを有するマフラーを提供することができたものである。
本願の請求項３の考案では、請求項１または２の考案の効果に加え、上記複数の組織は上記の第１組織と第２組織とからなり、上記第１組織と上記第２組織とを備えた二重織組織を備え、上記第１組織を織成するたて糸及びよこ糸と、上記第２組織を織成するたて糸及びよこ糸との表裏を交換することによって上記二重織組織の第１組織と第２組織の模様を織り出す風通組織を有することによって、さらに顕著な模様（柄）を有するマフラーを提供することができたものである。
本願の請求項４の発明では、請求項１〜３の何れかの考案の効果に加え、上記複数の組織を織成するたて糸及びよこ糸に綿糸または綿糸とフィラメント糸とを混紡した混紡糸を用い、そのたて糸及びよこ糸の太さを特定することによって、軽量で、かつ適度な通気性や吸湿性、柔軟性を備え、様々な用途に使用できるマフラーを提供することができたものである。
【図面の簡単な説明】
【００１３】
【図１】（Ａ）は、本願考案に係るマフラー全体を正面視した状態を示す説明図であり、（Ｂ）は、本願考案に係るマフラー全体を背面視した状態を示す説明図であり、（Ｃ）は、本願考案に係るマフラーの実施形態における断面を示す説明図である。
【図２】本願考案に係るマフラーの他の実施形態における断面を示す説明図である。
【考案を実施するための形態】
【００１４】
以下、図面に基づき本願考案の実施の形態の一例を取り上げて説明する。なお、本願の各請求項並びに明細書における上下左右表裏の表現は、相対的な位置関係を示すにとどまり、絶対的な位置を特定するものではない。また、図１（Ｃ）及び図２においては、図の上方を表側、図の下方を裏側とし、糸の配置をわかりやすくするため、第１組織２１を構成するたて糸（第１たて糸２２，２３）及びよこ糸（第１よこ糸２４，２５）を黒く塗りつぶしている。
【００１５】
本願考案に係るマフラー１０は、少なくとも第１組織２１と第２組織３１の複数の組織２０を備えた多重織組織を備える。本実施形態においては、図１（Ａ）〜図１（Ｃ）に示すように、第１組織２１と第２組織３１とからなる二重織組織から構成される。また、本実施形態においては、マフラー１０全体が二重織組織から構成されているが、マフラー１０の一部が二重織組織で構成されたものであってもよい。さらに、本願考案に係るマフラー１０は、複数の組織２０として第１組織２１及び第２組織３１のほかに、第３以上の組織からなる多重織組織を備えることができる。
【００１６】
また、第１組織２１は第１たて糸２２，２３と第１よこ糸２４，２５から構成された平織となっており、第２組織３１は第２たて糸３２，３３と第２よこ糸３４，３５から構成された平織となっている。本実施形態においては、第１組織２１と第２組織３１ともに平織を用いているが、綾織や朱子織であってもよく、また、第１組織２１と第２組織３１の何れか一方が平織で、他方が綾織や朱子織であってもよく、複数の組織２０の織組織は、織物の三原組織である平織、綾織、朱子織から適宜選択して用いればよい。
【００１７】
図１（Ｃ）に示すように、第１たて糸２２，２３と第２たて糸３２，３３は、接結部４１においてその表裏が交換され、第１よこ糸２４，２５と第２よこ糸３４，３５は、接結部４１においてその表裏が交換されている。よって、図１（Ｃ）の左側は第１組織２１が表側となり、図１（Ｃ）の右側は第２組織３１が表側に位置する。このように、第１組織２１を構成する第１たて糸２２，２３及び第１よこ糸２４，２５と第２組織３１を構成する第２たて糸３２，３３及び第２よこ糸３４，３５との表裏を交換することによって二重織組織の表側の模様と裏側の模様が織り出される風通組織を有している。第１たて糸２２，２３及び第１よこ糸２４，２５と、第２たて糸３２，３３及び第２よこ糸３４，３５に異なる二色の色糸を用いた場合は、織り出される模様が表側と裏側とで互いに逆の配色となり、また、異なる二色の色糸の色の組み合わせを部分的に変えることによって、マフラー１０全体に織り出される模様に３色以上の色彩を表現することができる。さらに、上記の二色の色糸の組み合わせを変えて中間色を出したり三色以上の色糸を用いた場合には、織り出される模様に三色以上の色彩が現れる。本実施形態においては、第１よこ糸２４，２５に青色を、第１たて糸２２，２３と第２たて糸３２，３３及び第２よこ糸３４，３５には白色の色糸を用い、図１（Ａ）に示すように、正面視において第２組織３１からなる白色の文字からなる模様（柄）が、図１（Ｂ）に示すように、背面視において第１組織２１からなる青色の文字からなる模様（柄）が現出する。三重織組織や四重織組織などの多重織組織を有するマフラー１０には、さらに多くの色彩を有する模様が織り出される。
【００１８】
第１たて糸２２，２３、第１よこ糸２４，２５、第２たて糸３２，３３、第２よこ糸３４，３５には、綿糸または綿糸とフィラメント糸とからなる混紡糸を用いる。綿糸または綿糸とフィラメント糸との混紡糸であれば、単糸、双糸のどちらを用いてもよい。綿糸または綿糸とフィラメント糸との混紡糸を用いることにより、軽量で、肌触りがよく、吸湿性に優れ、通気性を備えたマフラー１０となる。
【００１９】
また、第１よこ糸２４，２５及び第２よこ糸３４，３５の太さは、第１たて糸２２，２３及び第２たて糸３２，３３の太さよりも太く設定している。第１よこ糸２４，２５及び第２よこ糸３４，３５の太さは、４〜１０番手、第１たて糸２２，２３及び第２たて糸３２，３３の太さは、２０〜４０番手の範囲に設定する。通常、タオル織物に用いられる糸の太さは、２０〜４０番手であり、タオル織物に用いられる糸と比較して、第１よこ糸２４，２５及び第２よこ糸３４，３５を太く設定している。第１たて糸２２，２３及び第２たて糸３２，３３に対して第１よこ糸２４，２５及び第２よこ糸３４，３５に太い糸を用いることによって、良好な模様（柄）出しと、タオル織物と同等の厚み出しを行う。また、第１たて糸２２，２３及び第２たて糸３２，３３と第１よこ糸２４，２５及び第２よこ糸３４，３５との糸の太さによる凹凸を活かした模様（柄）出しを行うことができ、第１及び第２よこ糸２４，２５，３４，３５が肌への接触面となり肌触りがよい。さらに、第１よこ糸２４，２５及び第２よこ糸３４，３５の打ち込み数は、６０本〜１００本／inchの範囲とし、通常のタオル織物のよこ糸の打ち込み数よりも少ないために、柔軟性が備わる。さらに、良好な模様（柄）出しを行うために、第１たて糸２２，２３及び第１よこ糸２４，２５、第２たて糸３２，３３及び第２よこ糸３４，３５において、第１たて糸２２，２３及び第１よこ糸２４，２５と、第２たて糸３２，３３及び第２よこ糸３４，３５の何れか一方に光沢のある糸や撚りの強い糸を用い、他方に光沢のない糸や撚りの弱い糸を用いてもよい。
【００２０】
さらに、本願考案に係るマフラー１０は、第１組織２１と第２組織３１とが接結部４１において繋がれており、マフラーとしての一体感を有する。本実施形態においては、第１たて糸２２，２３及び第１よこ糸２４，２５と第２たて糸３２，３３及び第２よこ糸３４，３５とがその表裏を交換した風通組織を有しているが、図２に示すように、少なくとも第１組織２１を構成する第１たて糸２２，２３または第１よこ糸２４，２５と、第２組織３１を構成する第２たて糸３２，３３または第２よこ糸３４，３５とが表裏交換されることによって、第１組織２１と第２組織３１とが繋ぎ合わされ、二重織組織の第１組織２１と第２組織３１の模様を織り出せばよい。
【００２１】
本願考案に係るマフラー１０に織り出される模様には特に制限はなく、文字や数字、記号、直線や曲線及びこれらの組み合わせからなる幾何学模様やキャラクター等であってもよく、上述したものを組み合わせたものであってもよい。
【００２２】
本願考案に係るマフラー１０は、通常の多重織組織と同様、ジャガード織機等を用いて織成する。その後、複数の組織２０（２１，３１）からなるマフラー１０の上端部１１及び下端部１２と、複数の組織２０（２１，３１）からなるマフラー１０の左端部１３及び右端部１４は、裏面側に三つ折りにされ、その折り返し下端をミシン縫製し、さらにマフラー１０の上端部１１及び下端部１２をミシンでかがることによって製造される。上述のように、マフラー１０の端部１１，１２，１３，１４を縫製することによって、マフラー１０内部に空間が確保され、保温性が備わる。また、本願考案に係るマフラー１０に、抗菌加工や紫外線防止加工などの各種加工を施してもよい。
【００２３】
本願考案に係るマフラー１０の形状には特に制限はなく、そのマフラー１０の大きさや、長さと幅の比率は、本願考案の目的を逸脱しない範囲において、任意に選択すればよい。
【００２４】
本願考案に係るマフラー１０は、防寒用、装飾用、スポーツ応援用等の様々な用途に使用することができる。
【符号の説明】
【００２５】
１０    マフラー
２０    複数の組織
２１    第１組織
２２    第１たて糸
２３    第１たて糸
２４    第１よこ糸
２５    第１よこ糸
３１    第２組織
３２    第２たて糸
３３    第２たて糸
３４    第２よこ糸
３５    第２よこ糸 
【図１】
0003165891.tif 000003
【図２】
0003165891.tif 000004